(57)【特許請求の範囲】
【請求項１】
ディスクを保持しつつ回転駆動するためのディスクテーブルとヘッドをディスクの半径方向に駆動するためのキャリッジとが内面側の前後方向に配設されるメインフレームと、略Ｕ字形の板状を呈し、Ｕ字内に前記ディスクテーブルおよび前記キャリッジを回避させるようにして前記メインフレームの板面上に平行に、かつ外部からの加重力によって前記前後方向に摺動可能に前記内面側に取り付けられたイジェクトプレートと、前記イジェクトプレートの前後方向の摺動に応じて上下方向に摺動するディスクホルダとを有するディスクドライブにおいて、
前記メインフレームの前記イジェクトプレートと対向する面には前記イジェクトプレートと当接してその摺動を案内するための突条を複数個所に設けると共に、これらの突条に近い位置にはそれぞれ前記イジェクトプレートの摺動を許容し得る程度の第１の開口を設け、前記イジェクトプレートの前記第１の開口に対応する個所にはそれぞれ切り下げ及び曲げによる第１のＬ形状部を下面側に形成し、該第１のＬ形状部の曲げ部を前記第１の開口を通して前記メインフレームの外側面に沿わせて前記イジェクトプレートの摺動を案内するようにしたことを特徴とするディスクドライブ。
【請求項２】
請求項１記載のディスクドライブにおいて、前記メインフレームの前記第１の開口のうち前記キャリッジに近い方の第１の開口に対応する箇所には、切り起こし及び曲げによる第２のＬ形状部を設け、前記イジェクトプレートの前記キャリッジに近い方の第１の開口に対応する個所には第２の開口を有し、前記第２のＬ形状部を前記第２の開口を通して前記イジェクトプレートの内面側に突出させて前記第２のＬ形状部の曲げ部で前記ディスクを支持することを特徴とするディスクドライブ。
【請求項３】
請求項２記載のディスクドライブにおいて、前記突条は、前記キャリッジ寄りの両側の２箇所、前記ディスクの挿入口寄りの両側の２箇所にそれぞれ絞り加工により設けられるたものであることを特徴とするディスクドライブ。
【請求項４】
請求項３記載のディスクドライブにおいて、前記キャリッジに近い方の２箇所に設けられた２つの前記第２のＬ形状部における前記曲げ部には更に、前記イジェクトプレートの内面側に沿うように押さえ部を設けたことを特徴とするディスクドライブ。
【発明の詳細な説明】
【０００１】
【発明の属する技術分野】
本発明は、磁気ディスクのように、情報が記録・再生されるフレキシブルディスク部をケース内に収容して成る構造の情報記録再生ディスク（以後、単に、ディスクと呼ぶ）を回転駆動して情報処理を行うディスクドライブに関し、特に、そのディスク出し入れ構造の改良に関する。
【０００２】
【従来の技術】
この種のディスクドライブは、ディスクを回転駆動して情報処理を行うにあたり、ディスクをディスクドライブ内に取り込んで、ディスクを保持しつつ回転駆動するためのディスクテーブルに保持すると共にディスクの所定位置に記録・再生用のヘッドをあてがう。情報処理終了後には、ディスクをディスクドライブ外へ取り出す。このために、ディスクドライブはディスク出し入れ構造を有している。
【０００３】
図４、図５は、従来のディスクドライブについて、主にそのディスク出し入れ構造を抽出して示す分解斜視図である。図４において、このディスクドライブは、それぞれ板金をプレス成形して成るメインフレーム１１０と、イジェクトプレート１２０と、ディスクホルダ１３０とを有している。
【０００４】
メインフレーム１１０は、板状を呈する主板部１１１と、主板部１１１の両側端から直角上向きに延びる側板部１１２、１１３と、主板部１１１の後端から直角上向きに延びる背板部１１４と、主板部１１１の一部を切り起こして成る２つの支持片１１５及び２つの支持片１１６とを一体に有している。２つの支持片１１５及び２つの支持片１１６はそれぞれ、各切り起こしの一部を切り欠いて成る肩部１１５ａ及び１１６ａを持っている。
【０００５】
メインフレーム１１０の主板部１１１上には、ディスクを保持しつつ回転駆動するためのディスクテーブル１４０と、上下一対のヘッドをディスク表裏面にてその半径方向に駆動するためのキャリッジ１５０とが、メインフレーム１１０の前後方向に並べて設けられている。また、メインフレーム１１０の背板部１１４には、モータ１６０がその螺旋溝付きの回転軸をメインフレーム１１０の前後方向に平行に向けた状態で設けられている。
【０００６】
ディスクテーブル１４０は、メインフレーム１１０の下側から図示しないディスク回転用のモータのロータアセンブリに直結され、回転駆動される。キャリッジ１５０は、モータ１６０の回転軸の螺旋溝に掛合した掛合部材と主板部１１１上に固定された案内シャフトの貫通した支持枠とを有している。キャリッジ１５０は、モータ１６０が回転すると前記掛合部材がモータ１６０の回転方向に応じて前後方向に連動することにより、メインフレーム１１０の前後方向、即ち、ディスクの半径方向に直線運動する。
【０００７】
イジェクトプレート１２０は、略Ｕ字形の板状を呈する主板部１２１と、主板部１２１の両側端（Ｕ字の両辺外側）から直角上向きに延びる側板部１２２、１２３と、主板部１２１の前端（Ｕ字の底辺外側）から前方に延びるボタン取付部１２４と、メインフレーム１１０の２つの支持片１１５及び２つの支持片１１６に対応する位置に形成された２つの切欠１２５及び２つの孔１２６と、側板部１２２、１２３それぞれに各々２つずつ形成された案内溝部１２７と、側板部１２２の後方（Ｕ字左辺先端）にて外方に突出する曲げ部１２８とを有している。
【０００８】
案内溝部１２７はそれぞれ、イジェクトプレート１２０の前方側の水平部分と後方側の傾斜部分とを持っている。また、主板部１２１のＵ字左辺先端には、メインフレーム１１０に設けられるダンパギヤ（図示せず）と噛合する直線ギヤ１２９が形成されている。
【０００９】
イジェクトプレート１２０は、メインフレーム１１０に対して、その切欠１２５及び孔１２６にメインフレーム１１０の支持片１１５及び１１６を貫通させるようにして取付けられる。この取り付けによって、主板部１２１のうちの切欠または孔を規定する部分が、メインフレーム１１０の支持片１１５及び１１６の各肩部１１５ａ及び１１６ａによって支持される。よって、イジェクトプレート１２０は、メインフレーム１１０に対して前後方向に摺動可能である一方、切欠または孔と支持片との形状関係によって規制されるので、上下方向や左右方向には殆んど動かない。また、側板部１２２に設けられた曲げ部１２８は、メインフレーム１１０の側板部１１２の内面に対して、僅かな間隙をおいて対向する。
【００１０】
尚、主板部１２１が略Ｕ字形を呈しているので、イジェクトプレート１２０は、メインフレーム１１０に取り付けられているディスクテーブル１４０やキャリッジ１５０の動作を阻害することなく、それ自体の摺動動作が実現される。
【００１１】
ディスクホルダ１３０は、キャリッジ１５０における上のヘッドを避け得る切欠を持つ主板部１３１と、主板部１３１の両側端から直角下向きに延び、さらにその先端が内方に延びることでディスクを把持可能な側板部１３２及び１３３と、側板部１３２及び１３３にてイジェクトプレート１２０の案内溝部１２７に対応する位置に外方へ突出する４つの軸１３４とを有している。
【００１２】
そして、ディスクホルダ１３０は、メインフレーム１１０に取り付けられているイジェクトプレート１２０に対して、その軸１３４を案内溝部１２７に挿通させるようにして取付けられ、ディスクドライブが構成される。なお、ディスクドライブを構成するには、ディスクホルダ１３０をイジェクトプレート１２０に取り付けた組立体を、メインフレーム１１０に取り付ける方法がとられることもある。
【００１３】
このディスクドライブでは、以上説明した基本構造に加えて、ディスクホルダ１３０の図示しない突起が、メインフレーム１１０の図示しない孔に挿通されるなどされる。このような構造により、ディスクホルダ１３０は、メインフレーム１１０に対して、上下方向に摺動可能である一方、前後方向や左右方向には殆んど動かぬよう規制される。よって、ディスクホルダ１３０は、イジェクトプレート１２０の案内溝部１２７の形状により、イジェクトプレート１２０の前後方向の摺動に応じて、上下方向に摺動可能である。また、イジェクトプレート１２０とディスクホルダ１３０との間には、引張バネ（図示せず）が張架される。これによって、イジェクトプレート１２０は、メインフレーム１１０の前方に牽引される。また、引張バネの牽引に反してメインフレーム１１０の後方に位置する箇所では、イジェクトプレート１２０は、ロック手段（図示せず）によってロックされる。さらに、ロック手段に連動してディスクを外部に排出する方向へ加重するイジェクト手段（図示せず）もある。また、ボタン取付部１２４には操作者がディスクのイジェクト操作をするためのボタン１７０が取り付けられる。
【００１４】
次に、以上のような構造のディスクホルダによるディスク出し入れ動作を説明する。
【００１５】
まず、ディスクのないときは、イジェクトプレート１２０はロック手段によりロックされて後方に位置し（引張バネは伸びた状態）、案内溝部１２７と軸１３４と関係によって、ディスクホルダ１３０は上方に位置する。
【００１６】
次に、上方に位置するディスクホルダ１３０にディスクがあてがわれて押し込まれると、ロック手段のロックは外れ、イジェクトプレート１２０は伸びた状態の引張バネに牽引されて前方に移動し、ディスクホルダ１３０は降下して下方に位置する。このディスク挿入完了状態で、ディスクに対する記録あるいは再生処理がなされる。
【００１７】
上記の状態で、ボタン１７０が押されると、イジェクトプレート１２０は後方に移動してロック手段により再びロックされて後方に位置し（引張バネは伸びた状態）、ディスクホルダ１３０は上方に位置する。また、ロック手段に連動して、イジェクト手段がディスクを外部に排出する方向へ加重し、ディスクは排出される。
【００１８】
【発明が解決しようとする課題】
ところで、イジェクトプレート１２０は、切り起こしによる２つの支持片１１５及び２つの支持片１１６に、切り欠きにより形成された肩部１１５ａ及び１１６ａにより摺動が案内される。肩部１１５ａ及び１１６ａは、切断面で粗い端面であるので、摺動性に問題がある。これを考慮して、イジェクトプレート１２０と肩部１１５ａ及び１１６ａとの接触部にグリースを塗布することが行われている。この場合、塗布されたグリースがイジェクトプレート１２０の内面側に至ってディスクに付着してしまうという問題点がある。
【００１９】
そこで、本発明の課題は、メインフレームによるイジェクトプレートの摺動案内をスムーズにすることのできるディスクドライブを提供することにある。
【００２０】
本発明の他の課題は、メインフレームに設けられるイジェクトプレートの摺動案内部に塗布されるグリースがディスクに付着することのないディスクドライブを提供することにある。
【００２１】
【課題を解決するための手段】
本発明は、ディスクを保持しつつ回転駆動するためのディスクテーブルとヘッドをディスクの半径方向に駆動するためのキャリッジとが内面側の前後方向に配設されるメインフレームと、略Ｕ字形の板状を呈し、Ｕ字内に前記ディスクテーブルおよび前記キャリッジを回避させるようにして前記メインフレームの板面上に平行に、かつ外部からの加重力によって前記前後方向に摺動可能に前記内面側に取り付けられたイジェクトプレートと、前記イジェクトプレートの前後方向の摺動に応じて上下方向に摺動するディスクホルダとを有するディスクドライブにおいて、前記メインフレームの前記イジェクトプレートと対向する面には前記イジェクトプレートと当接してその摺動を案内するための突条を複数個所に設けると共に、これらの突条に近い位置にはそれぞれ前記イジェクトプレートの摺動を許容し得る程度の第１の開口を設け、前記イジェクトプレートの前記第１の開口に対応する個所にはそれぞれ切り下げ及び曲げによる第１のＬ形状部を下面側に形成し、該第１のＬ形状部の曲げ部を前記第１の開口を通して前記メインフレームの外側面に沿わせて前記イジェクトプレートの摺動を案内するようにしたことを特徴とする。
【００２２】
なお、前記メインフレームの前記第１の開口のうち前記キャリッジに近い方の第１の開口に対応する箇所には、切り起こし及び曲げによる第２のＬ形状部を設け、前記イジェクトプレートの前記キャリッジに近い方の第１の開口に対応する個所には第２の開口を有し、前記第２のＬ形状部を前記第２の開口を通して前記イジェクトプレートの内面側に突出させて前記第２のＬ形状部の曲げ部で前記ディスクを支持する。
【００２３】
また、前記突条は、前記キャリッジ寄りの両側の２箇所、前記ディスクの挿入口寄りの両側の２箇所にそれぞれ絞り加工により設けられることが好ましい。
【００２４】
更に、前記キャリッジに近い方の２箇所に設けられた２つの前記第２のＬ形状部における前記曲げ部には更に、前記イジェクトプレートの内面側に沿うように押さえ部を設けることが好ましい。
【００２５】
【発明の実施の形態】
図１〜図３を参照して、本発明の好ましい実施の形態について説明する。図１は、メインフレーム１０を外面側から見た図であり、図４に示すキャリッジ１５０とは反対側、すなわちディスクの挿入口側を示している。図１〜図３のいずれにおいても、イジェクトプレートの２０の摺動案内に必要な構造部分のみを示しており、その他の構造については図４と同様の構造で良い。
【００２６】
メインフレーム１０は、主板部１１の両側に側板部１２、１３を有する。主板部１１のイジェクトプレート２０と対向する面、すなわち内面側にはイジェクトプレート２０と当接してその摺動を案内するための突条１３を４個設けている。厳密に言えば、突条１３は、図４に示すキャリッジに近い位置の両側に２箇所、ディスクの挿入口寄りの両側の２箇所にそれぞれ絞り加工により上端が平坦面になるように形成される。その形状は、イジェクトプレート２０の摺動方向に長い略長四角形の枠状であり、枠内は開口１３ａになっている。メインフレーム１０の主板部１１にはまた、突条１３に近い位置にそれぞれ、イジェクトプレート２０の摺動を許容し得る程度の開口１４（第１の開口）を設けている。
【００２７】
一方、イジェクトプレート２０においては、メインフレーム１０の主板部１１の４つの開口１３ａに対応する箇所にそれぞれ、絞り加工による筒状部２１を下面側に延びるように形成し、開口１３ａに挿通させている。これにより、イジェクトプレート２の摺動時、筒状部２１が開口１３ａの縁部で案内される。メインフレーム１０の主板部１１の４つの開口１４に対応する箇所のイジェクトプレート２０にはそれぞれ、切り下げ及び曲げによるＬ形状部（第１のＬ形状部）２２を下面側に延びるように形成し、Ｌ形状部２２の曲げ部２２ａを開口１４を通してメインフレーム１０の主板部１１の外側面に沿わせてイジェクトプレート２０の摺動を案内するようにしている。
【００２８】
また、メインフレーム１０の４つの開口１４のうちキャリッジに近い方の２つの開口１４に対応する箇所には、開口を形成する際に切り起こし及び曲げによるＬ形状部（第２のＬ形状部）１５を設けている。一方、Ｌ形状部１５に対応する箇所のイジェクトプレート２０には開口（第２の開口）２３が形成されている。そして、Ｌ形状部１５を開口２３を通してイジェクトプレート２０の内面側に突出させてＬ形状部１５の曲げ部１５ａでディスクを支持するようにしている。なお、この曲げ部１５ａの中央部には、ディスクの支持を点接触で行うようにするために、上方に凸の球面状突起１５ｂが形成されている。
【００２９】
更に、２つのＬ形状部１５における曲げ部１５ａには更に、イジェクトプレート２０の内面側に沿うように押さえ部１５ｃが設けられている。
【００３０】
本形態においては、イジェクトプレート２０の摺動案内は、メインフレーム１０の主板部１１における突条１３の平坦面とＬ形状部２２における曲げ部２２ａの平坦面により行われるので、イジェクトプレート２０の摺動はスムーズに行われる。また、イジェクトプレート２０の摺動を円滑にするためのグリースは、Ｌ形状部２２における曲げ部２２ａと主板部１１の外側面との間に塗布される。したがってグリースがイジェクトプレート２０の内面側に付着することは無い。
【００３１】
【発明の効果】
以上説明してきたように、本発明によれば、メインフレームによるイジェクトプレートの摺動案内をスムーズにすることができ、しかも、メインフレームに設けられるイジェクトプレートの摺動案内部に塗布されるグリースがディスクに付着することの無いディスクドライブを提供することができる。
【図面の簡単な説明】
【図１】本発明の実施の形態によるディスクドライブについて、イジェクトプレートの摺動を案内する構造を抽出してメインフレームの外面側から示した図である。
【図２】図１に示すディスクドライブについて、切断線Ｘ〜Ｘによる断面を矢印Ａ方向から見た図である。
【図３】図１に示すディスクドライブについて、切断線Ｘ〜Ｘによる断面を矢印Ｂ方向から見た図である。
【図４】従来例によるディスクドライブについて、主にそのディスク出し入れ構造を抽出して示す分解斜視図である。
【図５】図４に示すディスクドライブの曲げ部を含む部分的な断面図である。
【符号の説明】
１０、１１０    メインフレーム
１１、１１１    主板部
１２−１、１２−２、１１２、１１３    側板部
１３ａ、１４、２３    開口
１５、２２    Ｌ形状部
１５ａ、２２ａ    曲げ部
１５ｂ    球面状突起
１５ｃ    押さえ部
２０、１２０    イジェクトプレート
２１    筒状部
１１４    背板部
１１５、１１６    支持片
１１５ａ、１１６ａ    肩部
１２４    ボタン取付部
１３０    ディスクホルダ
１３４    軸
１４０    ディスクテーブル
１５０    キャリッジ
１６０    モータ
１７０    ボタン
【図１】
0003690461.tif 000002
【図２】
0003690461.tif 000003
【図３】
0003690461.tif 000004
【図４】
0003690461.tif 000005
【図５】
0003690461.tif 000006